(57)【特許請求の範囲】
【請求項１】
少なくともラッチボルト投入孔を開口させたストライクと、一面が開口した箱状体で、その開口をストライクの裏面に接合させるようにしてこれに結合されトロヨケと、このトロヨケ内に装着された消音ブロックとから成り、この消音ブロックは、有底の装着孔の内側に、装着孔と同軸の細い支軸を一体的に設けた第１ブロックと、全体の形状が略カップ状で、その底部を貫通するようにして上記支軸と嵌合する受け筒を一体に形成すると共に、その開口部を第１ブロックの装着孔に深く嵌合させた第２ブロックと、第１ブロックの支軸周りの空間にこれと同軸に固設されたｎ（ｎ：１以上の正の整数）個の薄肉の第１作動筒と、第２ブロックの受け筒周りの空間にこれと同軸に、かつ一の第１作動筒と他の作動筒との間に挿入されるようにして固設された（ｎ−１）個の第２作動筒と、第２ブロックの内側に充填された粘液と、第２ブロックの外方に突出した受け筒の外側に巻装されたねじりコイルばねとを有し、上記第１及び第２ブロックの何れか一方を、支軸を垂直にした関係位置で、トロヨケ内に固定すると共に、他方に、水平に延在し、先端が上記ねじりコイルばねの弾力により外方に付勢されたアームを突設し、このアームの先端部をストライクのラッチボルト投入孔に内側から臨ませたことを特徴とする消音ストライク。
【発明の詳細な説明】
【０００１】
【発明の属する技術分野】
この発明は、錠箱のラッチボルトがストライクのラッチボルト孔に投入されるときの騒音を軽減することができる消音ストライクに係り、特に、既設のストライクに後付けで適用できる消音ストライクに関する。
【０００２】
【従来の技術】
錠箱のラッチボルトは、閉扉時、その斜面と扉枠との間に生じる楔作用により一旦錠箱内に押込まれるが、扉が完全に閉ってラッチボルトとラッチボルト孔とが整合すると、その付勢力によって勢い良くラッチボルト孔に投入される。
【０００３】
【発明が解決しようとする課題】
その為、錠箱内のストッパーとラッチボルトとが衝突し、通常、錠箱内に騒音が発生する。
【０００４】
この騒音は、例えば深夜にはかなり響き渡って他人に不愉快な思いをさせ、或いは、病院の病室の扉の場合には、患者の眠りを妨げたり、そうでなくても気弱になっている患者の神経を逆なでする。
【０００５】
そこで、この発明は、扉が閉るときにラッチボルトが発生させる騒音を軽減すると共に、既設の扉口のストライクにも適用できる消音ストライクを提供し、以て上記した不都合を解消することを目的としている。
【０００６】
【課題を解決するための手段】
上記の目的を達成するため、この発明は、少なくともラッチボルト投入孔を開口させたストライクと、一面が開口した箱状体で、その開口をストライクの裏面に接合させるようにしてこれに結合されトロヨケと、このトロヨケ内に装着された消音ブロックとから成り、この消音ブロックは、有底の装着孔の内側に、装着孔と同軸の細い支軸を一体的に設けた第１ブロックと、全体の形状が略カップ状で、その底部を貫通するようにして上記支軸と嵌合する受け筒を一体に形成すると共に、その開口部を第１ブロックの装着孔に深く嵌合させた第２ブロックと、第１ブロックの支軸周りの空間にこれと同軸に固設されたｎ（ｎ：１以上の正の整数）個の薄肉の第１作動筒と、第２ブロックの受け筒周りの空間にこれと同軸に、かつ一の第１作動筒と他の作動筒との間に挿入されるようにして固設された（ｎ−１）個の第２作動筒と、第２ブロックの内側に充填された粘液と、第２ブロックの外方に突出した受け筒の外側に巻装されたねじりコイルばねとを有し、上記第１及び第２ブロックの何れか一方を、支軸を垂直にした関係位置で、トロヨケ内に固定すると共に、他方に、水平に延在し、先端が上記ねじりコイルばねの弾力により外方に付勢されたアームを突設し、このアームの先端部をストライクのラッチボルト投入孔に内側から臨ませたことを特徴とする。
【０００７】
【実施例】
以下、この発明の実施例を図面を参照して説明する。
図１及び図２において符号１は扉枠側に装着されたストライクを示し、このストライク１には、少なくともラッチボルト２を係止するためのラッチボルト投入孔３が開口している。
【０００８】
なお、図示の実施例におけるストライク１は、上記ラッチボルト投入孔３とデッドボルト４を係止するためのデッドボルト投入孔を繋げて縦長の単一のボルト孔３としている。
【０００９】
ストライク１の裏面側（図２で左側）には、一面が開口した箱状のトロヨケ５が、その開口をストライク１に接合させるようにして一体的に結合されている。
【００１０】
なお、ストライク１とトロヨケ５の結合構造は従来から周知であるから、更に詳細な説明は省略する。
【００１１】
このトロヨケ５の内側下方には、ラッチボルト２に対応して、全体を符号６で示す消音ブロックが装着されている。
【００１２】
この消音ブロック６は、図１乃至図３に示すように、有底の装着孔７（図３参照）を形成した第１ブロック８と、全体の形状がカップ状の第２ブロック９とを有している。
【００１３】
上記第１ブロック８は、図４に示すように、断面がＬ字形の土台に上記装着孔７を形成した膨出部１１を一体に結合したもので、装着孔７の軸線を垂直にした状態で、トロヨケ５の底面にねじ止めされている。
【００１４】
また、上記装着孔７の内側には、その中心軸線に沿って、細い支軸１２が一体的に設けられている。この支軸１２の先端部は、図３に示すように、装着孔７の開口を突き抜けて上方に延伸している。
【００１５】
一方、上記第２ブロック９には、その底部を貫通するようにして、上記支軸１２と嵌合する受け筒１３が一体に形成されており、また、その開口部を第１ブロックの装着孔７に深く嵌合させている。
【００１６】
ここで、深く嵌合させるとは、嵌合している部分の母線方向の寸法が大きいということで、後述するように、第２ブロックの内側に充填する粘液の封止度を高める為に深く嵌合させる。
【００１７】
上記した構成の第１及び第２ブロック８、９を開口を相互に対向させた状態で深く嵌合させると、図３に示すように、第１及び第２ブロックの嵌合部、及び支軸１２と受け筒１３との嵌合部の間、すなわち受け筒１３の周囲に、断面蛇の目状の気密の空間が形成される。
【００１８】
この気密の空間内に、一端（図３において下端）を装着孔７に堅く嵌合させることにより第１ブロック８に一体に結合された薄肉の第１作動筒１４が、支軸１２と同軸に配設されている。
【００１９】
そして、上記第１作動筒１４の周囲の空間、換言すれば第２ブロック９の内側には、グリース等の粘液が充填されている。
【００２０】
一方、図３に示すように、第２ブロックを突き抜けた受け筒１３の上端開口、及び支軸１２の上端面を覆うようにして、受け筒１３より大径のフランジ板１５が例えばねじ止めされている。
【００２１】
また、図３及び図５に示すように、第２ブロック９の外周面の一部に、水平方向に延伸するアーム１６が一体に突設されている。
【００２２】
そして、上記第２ブロック９の上方に突出した受け筒１３の外側に巻装された捩りコイルばね１７の弾力により、アーム１６は図５で反時計方向に、すなわち、図１でアーム１６が外方に（手前側に）突出する方向に付勢されている。
【００２３】
なお、アーム１６に外力が作用しない常態におけるアームの角度位置を規定するため、図５に示すように、第２ブロック９の一部に係止片１８を突設し、この係止片１８を第１ブロック８の土台に弾接している。
【００２４】
なお、後述するように第２ブロックのアーム１６はラッチボルトと衝突するので、第２ブロックの材質は弾性の大きい合成樹脂を選定するとよい。
【００２５】
上記のように構成されたこの発明の一実施例による消音ストライクは、ラッチボルト２がストライクのラッチボルト投入孔に投入されるとき、ラッチボルト２の先端がアーム１６の先端に衝突するが（図６参照）、その勢いでアーム１６及びこれと一体の第２ブロック９が図５及び図６で時計方向に駆動される。
【００２６】
このとき、第２ブロック９は急激に回動するので、固定された第１ブロックの第１作動筒１４の内側及び外側の粘液が第２ブロック９に従動して移動し、第１作動筒１４との間に粘性抵抗が発生する。
【００２７】
そのため、ラッチボルト２の運動エネルギーは、一部が捩りコイルばね１７を撓めることにより、残部は粘性抵抗によって消費されるので、ラッチボルト２は著しく減速され、そのため錠箱内における騒音は殆ど無くなる。
【００２８】
また、アーム１６の材質を適切に選定すれば、アーム１６とラッチボルト２との衝突音も著しく軽減される。
【００２９】
開扉のためハンドルやノブを操作してラッチボルトを錠箱内に引っ込めると、アーム１６及びこれと一体の第２ブロック９は図５に示す待機角度位置に復帰する。
【００３０】
周知のように、粘性抵抗は速度に比例するので、捩りコイルばね１７の弾力が小さくてもアーム１６は元の待機角度位置に確実に復帰する。
【００３１】
なお、この発明は図示の実施例に限定されることなく、種々に変形して実施することができる。
【００３２】
例えば、図示の実施例では第１ブロック８をトロヨケに固定し、第２ブロック９を可動にしてこれにアーム１６を形成するものとしたが、これとは逆に、第２ブロックを固定し、第１ブロック８を可動にしてこれにアームを形成する設計も可能である。
【００３３】
また、図示の実施例では、粘性抵抗器の作動筒１４を１個としたが、これは２個以上とし、その間に挿設される第２作動筒（図示せず）を第２ブロックに設けることもできる。
【００３４】
【発明の効果】
以上の説明から明らかなように、この発明は、トロヨケ内にラッチボルトの先端に駆動されて回動するアームを設け、このアームを粘性抵抗器に連結するようにしたので、ラッチボルト投入孔に投入されたラッチボルトの勢いが粘性抵抗器によって吸収され、ラッチボルトが減速される結果、ラッチボルトの作動音を殆ど吸収することができる。
【００３５】
また、ストライクを取り外してトロヨケ底面にタップを立てれば、消音ブロックを簡単にねじ止めできるので、この発明を既設のストライクにも適用できる、等種々の効果を奏する。
【図面の簡単な説明】
【図１】この発明による消音ストライクの一部断面正面図。
【図２】その一部断面図。
【図３】消音ブロックの拡大断面図。
【図４】消音ブロックの拡大底面図。
【図５】消音ブロックの拡大平面図。
【図６】消音ストライクの作動を示すその横断面図。
【符号の説明】
１  ストライク
２  ラッチボルト
３  ラッチボルト投入孔
５  トロヨケ
６  消音ブロック
７  装着孔
８  第１ブロック
９  第２ブロック
１２  支軸
１３  受け筒
１４  第１作動筒
１６  アーム
１７  捩りコイルばね
【図１】
0004471251.tif 000002
【図２】
0004471251.tif 000003
【図３】
0004471251.tif 000004
【図４】
0004471251.tif 000005
【図５】
0004471251.tif 000006
【図６】
0004471251.tif 000007